(57)【要約】【課題】グループ分けされたスレッドの表示・非表示を切替えるアイコンの表示順序を、利用者の利便性を考慮したものとすることが可能な閲覧装置を提供する。【解決手段】スレッドが表示されるウェブページを閲覧する閲覧装置であって、前記スレッドを利用する利用者をグループ化し、画面上にこのグループに関係したスレッドの表示・非表示の設定を受け付けるアイコンを表示させるアイコン表示手段と、操作入力を受付ける操作部と、前記操作部が受付けた操作入力により選択された前記アイコンに対して、表示順序の変更を受け付ける変更受付け手段と、前記受付けた表示順序に応じて前記アイコンの表示位置を変更する表示位置変更手段と、を有する。【選択図】図４
2012242920.tif 000002
【特許請求の範囲】
【請求項１】
スレッドが表示されるウェブページを閲覧する閲覧装置であって、
前記スレッドを利用する利用者をグループ化し、画面上にこのグループに関係したスレッドの表示・非表示の設定を受付けるアイコンを表示させるアイコン表示手段と、
操作入力を受付ける操作部と、
前記操作部が受付けた操作入力により選択された前記アイコンに対して、表示順序の変更を受付ける変更受付け手段と、
前記受付けた表示順序に応じて前記アイコンの表示位置を変更する表示位置変更手段と、を有することを特徴とする閲覧装置。
【請求項２】
前記変更受付け手段が、前記操作部が受付けた操作入力により前記選択されたアイコンの表示位置の指定を受付けることを特徴とする請求項１に記載の閲覧装置。
【請求項３】
前記変更受付け手段が、前記操作部が受付けた操作入力により選択されるアイコンの選択順序に応じて表示順序を判断することを特徴とする請求項１に記載の閲覧装置。
【請求項４】
前記アイコン表示手段が、
各アイコンが選択された履歴を記録する履歴情報取得手段を有し、
前記記録された履歴により選択回数が所定数以上である場合は、前記アイコンの表示色を、選択回数が所定数以下のアイコンと比べて異なる色とすることを特徴とする請求項１から請求項３のいずれか一項に記載の閲覧装置。  
【発明の詳細な説明】
【技術分野】
【０００１】
本発明は、ウェブページを閲覧する閲覧装置に関し、特に、ウェブページ上で提供されるサービスの利用に供するアイコンを表示する閲覧装置に関する。
【背景技術】
【０００２】
従来、インターネット等の広域ネットワークと接続することで、このネットワーク上に公開されるウェブページを閲覧可能な閲覧装置が知られている。このような閲覧装置は、Ｗｅｂブラウザーを備えることで、Ｗｅｂサーバーとの間でアクセスを行ない、所望とするＷｅｂページをダウンロードする。
【０００３】
また、このようなＷｅｂページの一例として、複数のユーザーがＷｅｂアプリケーションにより実現されるサービスにアクセスし、スレッドを形成することで、ユーザー間のコミュニケーションを形成するものが知られている（例えば、特許文献１−３参照。）。
【０００４】
また、Ｗｅｂアプリケーションにより実現されるサービスの一機能として、スレッドの利用者をあるグループ分けして登録しておき、このグループに関するスレッドのみを表示させる機能が存在する。そのため、閲覧装置側で利用者をグループ化して多数登録しておき、利用者が特定のグループを選択すると、このグループに対応したスレッドのみを表示させることができる。
【先行技術文献】
【特許文献】
【０００５】
【特許文献１】特開２００２−３２３９４６号公報
【特許文献２】特開２００９−１０４４９９号公報
【特許文献３】特開２００７−０５２７４２号公報
【発明の概要】
【発明が解決しようとする課題】
【０００６】
ところで、閲覧装置側で登録されるグループの表示・非表示は、画面上に表示されるアイコンを操作することで行われる。そのため、登録されるグループの数が多くなると画面に表示されるアイコンの数も増加する。一方で、アイコンの表示順序と選択頻度との間には何ら関連性がないため、利用者の選択頻度が高いアイコンの表示順序が後であると、このアイコンを選択するために場合によっては画面をスクロールするといった煩雑な操作を必要とする場合があった。
【０００７】
本発明は、上記課題にかんがみてなされたもので、グループ分けされたスレッドの表示・非表示を切替えるアイコンの表示順序を、利用者の利便性を考慮したものとすることが可能な閲覧装置の提供を目的とする。
【課題を解決するための手段】
【０００８】
上記課題を解決するために、本発明では、スレッドが表示されるウェブページを閲覧する閲覧装置であって、前記スレッドを利用する利用者をグループ化し、画面上にこのグループに関係したスレッドの表示・非表示の設定を受付けるアイコンを表示させるアイコン表示手段と、操作入力を受付ける操作部と、前記操作部が受付けた操作入力により選択された前記アイコンに対して、表示順序の変更を受付ける変更受付け手段と、前記受付けた表示順序に応じて前記アイコンの表示位置を変更する表示位置変更手段と、を有する構成としてある。
【０００９】
上記のように構成された発明では、アイコン表示手段が、アイコンを表示する。ここで、アイコンは、スレッドを利用する利用者をグループ化し、画面上にこのグループに関係したスレッドの表示・非表示の設定を受付けるものである。また、変更受付け手段が、操作部が受付けた操作入力により選択されたアイコンに対して、表示順序の変更を受付ける。そして、表示位置変更手段が受付けた表示順序に応じてアイコンの表示位置を変更する。
そのため、選択されたアイコンに対して表示順序の変更を行うことが可能となるため、アイコンの表示を利用者の利便性を考慮したものとすることができる。
【発明の効果】
【００１０】
以上説明したように、本発明によれば、アイコンの表示を利用者の利便性を考慮したものとすることで、サービスの提供に供する操作等をより便利にすることができる。
【図面の簡単な説明】
【００１１】
【図１】インターネットを介して表示装置１０とＷｅｂサーバー４０との間で構築されるサービス提供システムを説明するための図である。
【図２】表示装置１０の構成を説明するためのブロック構成図である。
【図３】パネル部３４に表示されるＷｅｂページを説明する図である。
【図４】リストアイコンの表示順序を変更する場合に実行される処理を説明するフローチャートである。
【図５】リストアイコンの表示順序の変更を説明する図である。
【図６】第２の実施形態に係るリストアイコンの並び換えをする場合に実行される処理を説明するフローチャートである。
【図７】リストアイコンの表示順序の変更を説明する図である。
【発明を実施するための形態】
【００１２】
以下、下記の順序に従って本発明の実施形態を説明する。
１．第１の実施形態：
２．第２の実施形態：
３．その他の実施形態：
【００１３】
１．第１の実施形態： 
以下、図を参照して、この発明に係る閲覧装置を具体化した第１の実施の形態として表示装置１０を例に説明を行う。図１は、インターネットを介して表示装置１０とＷｅｂサーバー４０との間で構築されるサービス提供システムを説明するための図である。また、図２は、表示装置１０の構成を説明するためのブロック構成図である。
【００１４】
図１に示すように、サービス提供システムは、Ｗｅｂサーバー４０と表示装置１０とがネットワークＮに接続されて構成され、表示装置１０を使用する利用者に対してＷｅｂページの閲覧等のサービスを提供する。また、Ｗｅｂサーバー４０と表示装置１０との間には、ウェブアプリケーションＡＰが介在し、Ｗｅｂサーバー４０又は表示装置１０がこのウェブアプリケーションＡＰを実行することで上記したサービスを行うための処理を実行する。以下、このサービス提供システムにより提供されるサービスの一例として、ミニブログを例に説明を行う。
【００１５】
Ｗｅｂサーバー４０は、例えば、コンピュータにより実現され、記録部や、データベースエンジンを備えて構成される。記録部には、ミニブログによりユーザーに書き込まれたスレッドに係るデータ（以下スレッドデータと記載する）や、このスレッドデータを関連付けするためのテーブルが記録されている。ここで、スレッドとは、電子掲示板やメーリングリスト等、更にはブログといったサービスにおける、ある特定の話題に関する投稿の集まりを意味する概念である。
【００１６】
Ｗｅｂサーバー４０が備える（又は、ウェブアプリケーションＡＰにより提供される）テーブルの一例として、リストテーブルＴ１やスレッドテーブルＴ２が存在する。リストテーブルＴ１は、サービス利用者を一定の規定によりグループ化するものである。リストテーブルＴ１には、リスト番号と、このリストに属する利用者のＩＤとが関連づけられている。ここで、リストテーブルＴ１における関連づけは、サービスを使用する利用者が個々に設定する場合や、Ｗｅｂアプリケーションにより自動で設定される場合を含む。また、スレッドテーブルＴ２は、利用者ＩＤとスレッドデータとを関連づけるテーブルである。データベースエンジンは、リストテーブルＴ１及びスレッドテーブルＴ２を参照することで、リストとこのリストに属するスレッドとをグループ化することが可能となる。以下、このようにグループ化された一群のスレッドをリストと記載する。
【００１７】
表示装置１０は、例えばテレビジョン受像機により実現され、メインコントローラー２０、操作入力Ｉ／Ｆ３１、ＯＳＤ回路３２、映像回路３３、パネル部３４、ネットワークＩ／Ｆ３５、操作部３６を備えて構成される。
【００１８】
操作部３６は、リモコンやその他ユーザーインタフェースにより実現され、利用者からの操作入力を操作入力Ｉ／Ｆ３１を通じてメインコントローラー２０に出力する。映像回路３３は、ＯＳＤ回路３２から出力されるグラフィック等の入力データに所定の信号処理を施し、パネル部３４に出力する。パネル部３４は、映像回路３３から出力される処理後の入力データをもとに映像を表示する。本実施形態では、このパネル部３４にＷｅｂページが表示されることで、利用者によるＷｅｂページの閲覧が可能となる。ネットワークＩ／Ｆ３５は、モデム、ＬＡＮ等により実現され、表示装置１０をネットワークＮに接続する。
【００１９】
メインコントローラー２０は、ＣＰＵや、このＣＰＵが実行するプログラムやデータを記録するＲＯＭ、更には、ＣＰＵのワークエリアとして作用するＲＡＭを備えて実現される。また、ＣＰＵは、ＲＯＭに記憶された各種プログラムを実行することでＷｅｂブラウザー２１や、履歴情報取得部（履歴情報取得手段）２２、スタイル設定部２３としての機能を備える。なお、上記した履歴情報取得部２２、やスタイル設定部２３の機能は、Ｗｅｂブラウザー２１の一部として実現されてもよい。ＯＳＤ回路３２は、スタイル設定部２３の命令によりパネル部３４に表示するＷｅｂページのプラットフォームとなるグラフィックを作成し、出力する。
【００２０】
Ｗｅｂブラウザー２１は、Ｗｅｂページを表示するためのブラウジングに係る処理を実行する。また、ＷｅｂアプリケーションＡＰと組み合わさることで、このＷｅｂアプリケーションＡＰにより提供されるサービスに係る処理を実行する。
【００２１】
履歴情報取得部２２は、リストの閲覧頻度を算出する。ここで、閲覧頻度とは、表示装置１０においてリストに係るスレッドが閲覧された回数を意味し、本実施形態では、リストが選択される毎に履歴が記録される。なお、デフォルトの設定に応じて、特定のリストが選択されることなく画面上に表示される場合があるため、デフォルトで表示されるリストに対しても履歴を更新するものであってもよい。
【００２２】
スタイル設定部２３は、Ｗｅｂページを構成するスレッドデータや他のグラフィックのレイアウトを設定する。本実施形態では、スタイル設定部２３によりリストアイコンの表示順序の変更が実施される。即ち、スタイル設定部２３は、リストアイコンと表示順序の対応関係を規定する表示順序設定テーブルを備えており、この表示順序設定テーブルに規定された表示順序で各リストアイコンの表示を行う。なお、スタイル設定部２３により各リストアイコンの表示が行われるため、スタイル設定部２３が、本発明に係るアイコン表示手段を実現する。
【００２３】
図３は、パネル部３４に表示されるＷｅｂページを説明する図である。図３では、画面上にＷｅｂサーバー４０からダウンロードされたスレッドがリストに応じて表示される。即ち、このＷｅｂページには、選択されたリスト（図３では、リストＡ）に係るスレッドが表示される。例えば、各スレッドは、表示装置１０の利用者が登録を行った利用者に係るものである。また、各スレッドはリアルタイムに更新され、タイムラインを形成している。
【００２４】
また、図３における画面左端には、各リストの表示・非表示を切替えるためのリストアイコンが表示され、利用者が操作部３６を操作して各リストアイコンを選択すると、このリストアイコンに関連付けされたリスト（即ち、リストとしてグループ化されたスレッド）が表示される。無論、これ以外にも、同じ画面上に複数のリストに係るスレッドを表示させることも可能である。
【００２５】
ウェブアプリケーションＡＰは、Ｗｅｂブラウザー２１上で実行されることにより表示装置１０に対して、Ｗｅｂサーバー４０との間で、ネットワークＮを介したスレッドデータの通信を行う処理を実現させる。即ち、利用者が操作部３６を操作して、各アイコンの選択を行うと、Ｗｅｂブラウザー２１は選択されたアイコンに係る入力をＷｅｂサーバー４０に送信する。Ｗｅｂサーバー４０は、入力を受信すると、この入力に対応する処理（例えばリストデーターの送信）をＷｅｂブラウザー２１に対して行う。
【００２６】
ところで、利用者が登録するリストの数が増えると、当然、画面上に表示されるリストアイコンの数も増加する。例えば、リストが登録された時期に応じて、リストアイコンの表示順序が決定される場合、最後に登録されたリストに係るリストアイコンは、最初に登録されたリストアイコンに比べて表示順序が後になる。利用者が、最後に作成されたリストアイコンを選択する場合、スクロールバーを操作して画面をスクロールさせることでリストアイコンを表示し、同アイコンの選択を行う必要も生じてくる。そのため、頻繁に閲覧を行うリストに係るリストアイコンが画面下部に表示されてしまう場合もある。本実施形態では、このようなリストアイコンの表示に係る問題を解消するために、リストアイコンの表示順序を表示装置１０により変更可能な構成とした。
【００２７】
図４は、リストアイコンの表示順序を変更する場合に実行される処理を説明するフローチャートである。また、図５は、リストアイコンの表示順序の変更を説明する図である。なお、図５では、利用者が既にリストとしてリストＡ〜リストＬまでを登録しているものとする。
【００２８】
ステップＳ１では、スタイル設定部２３は表示順序の変更を行うリストアイコンの選択を受付ける。即ち、利用者が操作部３６を操作して、画面に表示されたリスト３の選択を行うと、スタイル設定部２３は、選択されたリストアイコンを表示順序の変更を行うリストアイコンとして認識する。
【００２９】
また、各リストアイコンは、履歴情報取得部２２が取得している閲覧頻度に応じてリストアイコンの色が変更されている。そのため、スタイル設定部２３は、閲覧頻度が所定の閾値以上であるリストに係るリストアイコンに対しては、表示色を閲覧頻度が閾値以下のリストアイコンに比べて異なる色で表示させている。図５Ａに示す画面において、リストアイコンＪの閲覧頻度が閾値以上であり、このリストアイコンＪの表示色が他のリストアイコンと異なる。そのため、利用者は、表示色の異なるリストアイコンが閲覧頻度が高いものであることを認識することができる。以下、利用者が操作部３６を操作してリストアイコンＪを選択するものとする。
【００３０】
ステップＳ２では、スタイル設定部２３は、表示順序の変更対象となったリストアイコンの変更位置の指定を受付ける。即ち、利用者が操作部３６を操作して、リストアイコンの表示領域において、表示させたい位置（順序）の指定を行うと、スタイル設定部２３は、指定された位置を変更後の位置として認識し、表示順序設定テーブルの選択された順序にステップＳ１で選択されたリストアイコンを記録する。図５Ｂにおいては、リストＪの変更後の表示順序として、表示順序の先頭（現在リストＡが表示されている位置）が選択される。なお、本実施形態では、表示順序設定テーブルにおいて変更先に位置していたリストアイコン（図５では、リストアイコンＡ）は、選択されたリストアイコン（図５では、リストアイコンＪ）の次の順序に位置するよう表示順序設定テーブルが更新される。そのため、ステップＳ１及びステップＳ２の処理により、本発明の変更受付け手段を実現する。
【００３１】
ステップＳ３では、利用者が操作部３６を操作して、表示順序の変更を決定する旨の入力を行うと（ステップＳ３：ＹＥＳ）、ステップＳ４では、スタイル設定部２３は、表示順序設定テーブルを参照して、各リストアイコンの表示順序を変更する。即ち、図５Ｃでは、リストアイコンＪの表示順序が、表示順序の先頭に変更され、リストアイコンＡがリストアイコンＪの次の順序の位置に変更される。そのため、ステップＳ４の処理により、本発明の表示位置変更手段が実現される。
【００３２】
以上説明したように、本実施形態では、画面に表示されるリストアイコンの表示順序を、利用者の所望とする位置に変更することが可能となるため、サービスを利用する際の利便性を高めることができる。
また、閲覧頻度が高いリストアイコンを他のリストアイコンと異なる表示色とすることで、利用者がリストアイコンの表示順序を変更する際の補助とすることができる。
【００３３】
２．第２の実施形態：
図６は、第２の実施形態に係るリストアイコンの並び換えをする場合に実行される処理を説明するフローチャートである。また、図７は、リストアイコンの表示順序の変更を説明する図である。第２の実施形態に係る処理では、リストアイコンの選択順序に応じて表示順序が設定される構成において、第１の実施形態と異なる。
【００３４】
ステップＳ１１では、スタイル設定部２３は表示順序の変更を行うリストアイコンの選択を受付ける。即ち、利用者が操作部３６を操作して、画面に表示されたリストアイコンの選択を行うと、スタイル設定部２３は、選択されたリストアイコンを表示順序を変更するリストアイコンとして認識する。図７Ａでは、リストアイコンＪの選択が行われる。
【００３５】
ステップＳ１２では、スタイル設定部２３は、リストアイコンの選択順序に応じて表示順序更新テーブルを更新する。即ち、図７Ａでは、一番目に選択されたリストアイコンＪが表示順序の先頭として認識され、表示順序更新テーブルの先頭（１番目）にリストアイコンＪが記録される。
【００３６】
利用者が操作部３６を操作して、表示順序の変更を決定する旨の入力を行わない場合（ステップＳ１３：ＮＯ）、ステップＳ１１に戻り、スタイル設定部２３は表示順序が２番目となるリストアイコンの選択を受付ける。例えば、図７Ｂにおいて、リストアイコンＣが選択されたとする。そのため、ステップＳ１２では、スタイル設定部２３は、表示順序更新テーブルの２番目にリストアイコンＣを記録する。以下、同様に、ステップＳ１、Ｓ２の処理を繰り返し、順次、リストアイコンＢ、リストアイコンＩが準に選択されたものとする。
【００３７】
ステップＳ１３において、利用者が操作部３６を操作して、表示順序の更新を決定する旨の入力を行うと（ステップＳ１３：ＹＥＳ）、スタイル設定部２３は表示順序更新テーブルに記録された順序で各リストアイコンの表示順序を並べ替える（ステップＳ１４）。そのため、画面先頭から、リストアイコンＪ、Ｃ、Ｂ、Ｉの順序で各リストアイコンが表示される（図７Ｃ）。なお、選択が行われなかったリストアイコンは、選択が行われたリストアイコンの下に表示されるものとする。
【００３８】
以上説明したように、この第２の実施形態に係る表示装置１０では、第１の実施形態に係る表示装置１０の効果に加えて、リストアイコンの並換えを行う位置を指定する手間を省略することができ、より操作の利便性を高めることができる。
【００３９】
３．その他の実施形態：
閲覧装置として表示装置を例に説明を行うことは一例であり、Ｗｅｂページを表示できるものであればどの様な装置であってもよい。
また、リストアイコンの表示順序が画面上部から下部の副走査方向とすることは一例であり、これ以外の表示順序例えば、主走査方向で画面左から右へ移行するものであってもよい。
【００４０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４１】
１０…表示装置、２２…履歴情報取得部、２３…スタイル設定部、３１…操作入力Ｉ／Ｆ、３２…ＯＳＤ回路、３３…映像回路、３４…パネル部、３５…ネットワークＩ／Ｆ、３６…操作部、４０…Ｗｅｂサーバー
【図１】
2012242920.tif 000003
【図２】
2012242920.tif 000004
【図３】
2012242920.tif 000005
【図４】
2012242920.tif 000006
【図５】
2012242920.tif 000007
【図６】
2012242920.tif 000008
【図７】
2012242920.tif 000009